(57)【特許請求の範囲】
【請求項１】
ヒートポンプ装置と、該ヒートポンプ装置に接続されて暖められた湯水を蓄える貯湯タンクと、該貯湯タンクの湯水を建物内床下空間に地表に接することなく導く循環パイプと、該循環パイプ内の湯水を前記貯湯タンクへ循環させるように送出する循環ポンプとを有する床下調温装置を用いた建物であって、
前記建物の基礎には、断熱材が設けられていて、該基礎で建物の断熱が行われるとともに、前記循環パイプと前記床部の上面との間には断熱材が設けられていないことを特徴とする建物。
【請求項２】
ヒートポンプ装置に設けられて、大気との熱交換により、冷気を大気側に排気するヒートポンプ室外機を有し、該ヒートポンプ室外機から排気された冷気を、建物床下空間内に導入するダクトを設けた床下調温装置を用いた建物であって、
前記建物の基礎には、断熱材が設けられていて、該基礎で建物の断熱が行われるとともに、前記床部には断熱材が設けられていないことを特徴とする建物。
【発明の詳細な説明】
【０００１】
【発明の属する技術分野】
本発明は、エネルギ効率の良好な床下調温装置に関するものである。
【０００２】
【従来の技術】
従来、図５に示すような住宅１の床下調温装置が知られている（特開平０６−２７２８９４号公報等参照）。
【０００３】
この住宅１では、屋根部２に設置された集熱面３の集熱層４内で暖められた空気が、温水器５の熱源として用いられる他、熱交換器型換気扇６及び吸気パイプ７を介して、床部８下方の排気パイプ９にも送られて、別途設置される熱媒体用パイプ１０ａ，１０ａ等を有する床下暖房装置１０と共に、コンクリート層１１ａを有する床下蓄熱部１１を暖めて、床下暖房を行うように構成されている。
【０００４】
なお、他のこの種のものとして、特開昭６０−７３２２６号公報等に記載されているものが知られている。
【０００５】
【発明が解決しようとする課題】
しかしながら、このような従来のものでは、床下暖房のためのエネルギー源として、太陽熱を利用した集熱構造を採用している。
【０００６】
このような集熱構造では、太陽熱は、その量が天候により左右され易く、暖房性能が不安定となり、日照が短く、気温が低い場合には、利用できないといった問題がある。
【０００７】
このため、従来から知られている床下暖房装置１０を併用して、前記屋根部２の集熱面３で集熱された熱エネルギに加えて、温水ボイラー等で暖められた温水を前記熱媒体用パイプ１０ａ内に循環させて暖めなければならない。
【０００８】
従って、床部８下方の構造は複雑なものとなると共に、前記熱交換器型換気扇６及び吸気パイプ等の太陽熱利用装置の設備に加えて更に、前記熱媒体用パイプ１０ａ…及び給湯ボイラー等の床暖房装置１０の設備も別途施工しなければならず、設備コストが増大してしまうといった問題があった。
【０００９】
本発明は、このような従来の問題点に着目してなされたものであり、熱効率が良好で、設備コストの増大も抑制され、しかも、ランニングコストも抑制できる床下調温装置及び床下調温装置を用いた建物を提供することを目的としている。
【００１０】
【課題を解決するための手段】
前記目的を達成するために、請求項１記載の発明は、ヒートポンプ装置と、該ヒートポンプ装置に接続されて暖められた湯水を蓄える貯湯タンクと、該貯湯タンクの湯水を建物内床下空間に導く循環パイプと、該循環パイプ内の湯水を前記貯湯タンクへ循環させるように送出する循環ポンプとを有する床下調温装置を特徴としている。
【００１１】
このように構成された請求項１記載のものでは、ヒートポンプ装置によって暖められた温水が前記貯湯タンク内に蓄えられるので、必要に応じて、前記循環ポンプを駆動して、前記建物内床下空間に敷設された循環パイプ内に、前記貯湯タンクの湯水を循環させることができる。
【００１２】
このため、時間、天候等に左右されることなく、いつでも床下を調温出来るので、安定した暖房性能を発揮させることが出来、熱効率が良好である。
【００１３】
また、別途、他の調温設備を設ける必要も無く、給湯装置等と兼用すれば、設備コストの増大も抑制される。
【００１４】
更に、前記建物の基礎には、断熱材が設けられていて、該基礎で建物の断熱が行われるとともに、前記床部には断熱材が設けられていない床下調温装置を用いた建物であることを特徴としている。
【００１５】
このように構成されたものでは、前記断熱材を設けた建物の基礎からは、外部に熱が逃げないと共に、前記循環パイプと床部上面との間に、断熱材を設ける必要が無くなり、殆どの熱が前記床部上面に導かれて床部上面から室内に発散される。
【００１６】
このため、更に、熱効率を良好なものとすることが出来る。
【００２１】
そして、請求項２に記載されたものでは、ヒートポンプ装置に設けられて、大気との熱交換により、冷気を大気側に排気するヒートポンプ室外機を有し、該ヒートポンプ室外機から排気された冷気を、建物床下空間内に導入するダクトを設けた床下調温装置を特徴としている。
【００２２】
すなわち、前記ヒートポンプ装置に設けられたヒートポンプ室外機から排気された冷気が、前記ダクトによって、前記建物床下空間内に導入される。
【００２３】
このため、別途空調機器を設けなくても、前記建物床下空間を冷却出来、設備コストの増大が抑制されると共に、従来、大気に放出されていた冷気を利用して床下の冷房を行うことが出来るので、エネルギ利用効率も良好である。
【００２４】
更に、前記建物の基礎には、断熱材が設けられていて、該基礎で建物の断熱が行われるとともに、前記床部には断熱材が設けられていない床下調温装置を用いた建物を特徴としている。
【００２５】
このように構成されたものでは、前記断熱材を設けた建物の基礎からは、外部の熱が伝わらないと共に、床部に、断熱材を設ける必要が無くなり、床下の温度と略同等の温度まで前記床部上面の温度を下げることが出来る。
【００２６】
このため、更に、熱効率を良好なものとすることが出来る。
【００２７】
【発明の実施の形態１】
次に、本発明の実施の形態１の床下調温装置を図面を参照しながら説明する。
【００２８】
図１及び図２は、本発明の実施の形態１の床下調温装置１５を用いた建物としての住宅１６を示すものである。なお、前記従来例と同一乃至均等な部分は同一符号を付して説明する。
【００２９】
まず、構成から説明すると、この実施の形態１の床下調温装置１５では、ヒートポンプ装置１７を構成するヒートポンプ室外機１７ａと、このヒートポンプ装置１７に接続されて暖められた湯水を蓄える貯湯タンク１８と、循環ポンプ１９とが、前記住宅１６の屋外に設置されている。
【００３０】
このうち、前記循環ポンプ１９には、前記貯湯タンク１８内の湯水を住宅１６内床下空間２１に導く循環パイプ２０が接続されていて、この循環パイプ２０内の湯水を前記貯湯タンク１８へ循環させるように送出する構成としている。
【００３１】
また、この実施の形態１では、図２に示すように、住宅１６の基礎２２の立ち上がり部２２ａの内，外両側面部２２ｂ，２２ｃには、断熱材２３，２３が、設けられていて、基礎２２で外部との断熱を行ういわゆる基礎断熱構造が用いられている。
【００３２】
そして、前記循環パイプ２０と床部２４の上面２４ａとの間には、断熱材が設けられていない構成としている。
【００３３】
次に、この実施の形態１の床下調温装置の作用について説明する。
【００３４】
このように構成された実施の形態１の床下調温装置では、前記ヒートポンプ装置１７によって暖められた温水が前記貯湯タンク１８内に蓄えられるので、必要に応じて、前記循環ポンプ１９を駆動して、前記住宅１６内床下空間２１に敷設された循環パイプ２０内に、前記貯湯タンク１８の湯水を循環させることができる。
【００３５】
一定の温度を有する湯水は、前記床下空間２１内で、熱を放熱して住宅１６の床部２４を加温する。
【００３６】
このため、従来のように時間、天候等に左右されることなく、いつでも床下を調温出来るので、安定した暖房性能を発揮させることが出来、熱効率が良好である。
【００３７】
例えば、前記ヒートポンプ室外機１７ａを深夜電力を用いて運転して、夜間から朝方にかけて前記床下空間２１を加熱することにより、安価なランニングコストで暖房することが出来る。
【００３８】
また、別途、他の調温設備を設ける必要も無く、前記ヒートポンプ装置１７を給湯装置等と兼用すれば、設備コストの増大も抑制される。
【００３９】
更に、前記断熱材２３，２３が設けられた住宅１６の基礎２２，２２からは、外部に熱が逃げないと共に、前記循環パイプ２０と床部２４の上面２４ａとの間には、断熱材を設ける必要が無いので、殆どの熱が前記床部上面２４ａに導かれて床部上面２４ａから、この住宅１６の室内に発散される。
【００４０】
このため、更に、熱効率を良好なものとすることが出来る。
【００４１】
【変形例１】
図３は、この発明の実施の形態１の床下調温装置の変形例１を示している。
【００４２】
なお、前記実施の形態１と同一乃至均等な部分については、同一符号を付して、相違点を中心に説明する。
【００４３】
この変形例１では、前記循環パイプ２０が、床下空間２１の土間コンクリート２５内に埋設されている。
【００４４】
この土間コンクリート２５と、地表２６との間には、断熱材２７が設けられている。
【００４５】
次に、この変形例１の作用について説明する。
【００４６】
この変形例１では、前記循環パイプ２０の熱エネルギが、前記土間コンクリート２５内に蓄熱されて、徐々に放熱されることにより、暖房が平準化される。
【００４７】
このため、更に、熱効率を良好なものとすることが出来る。
【００４８】
また、前記土間コンクリート２５と前記地表２６との間には、断熱材２７が設けられているので、この土間コンクリート２５から地表２６に逃げる熱エネルギを減少させることが出来る。従って、更に、熱効率を良好なものとすることが出来る。
【００４９】
他の構成及び作用効果については、前記実施の形態１と同一乃至均等であるので、説明を省略する。
【００５０】
【実施の形態２】
図４は、この発明の実施の形態２の床下調温装置を示すものである。なお、前記実施の形態１と同一乃至均等な部分については、同一符号を付して、相違点を中心に説明する。
【００５１】
この実施の形態２では、建物としての住宅１１６の基礎２２の立ち上がり部に図示省略の断熱材が、設けられていて、基礎２２で外部との断熱を行ういわゆる基礎断熱構造が用いられている。
【００５２】
この実施の形態２の床下調温装置３０は、住宅１１６の屋外に、床下調温装置３０を構成するヒートポンプ装置３０ａを有している。
【００５３】
このヒートポンプ装置３０ａには、暖められた湯水を蓄える貯湯タンク３１が設けられている。
【００５４】
また、このヒートポンプ装置３０ａには、大気との熱交換により、冷気を大気側に排気するヒートポンプ室外機３２が接続されている。
【００５５】
このヒートポンプ室外機３２は、冷気を排気する排気口３２ａが、前記住宅１１６側を向くように、前記基礎２２の外側位置に隣接されて配置されている。
【００５６】
そして、この排気口３２ａには、前記基礎２２内を内外方向に貫通して、この排気口３２ａから排気された冷気を、建物床下空間２１内に導入するダクト３３が接続されて設けられている。
【００５７】
また、このダクト３３が貫通された基礎２２とは、建物反対側の基礎２２には、前記建物床下空間２１内に導入された冷気を、外部に導出するダクト部３４がこの基礎２２内を内外方向に貫通するように形成されている。
【００５８】
次に、この実施の形態２の作用について説明する。
【００５９】
この実施の形態２の床下調温装置３０では、前記ヒートポンプ装置３０ａに設けられたヒートポンプ室外機３２から排気された冷気が、前記ダクト３３によって、前記住宅１１６の床下空間２１内に導入される。
【００６０】
このため、別途空調機器を設けなくても、前記住宅１１６の床下空間２１を冷却出来、設備コストの増大が抑制されると共に、従来、大気に放出されて廃棄されていた冷気を利用して床下の冷房を行うことが出来るので、エネルギ利用効率も良好である。
【００６１】
更に、前記断熱材を設けた住宅１１６の基礎２２からは、外部の熱が伝わらないと共に、前記床部２４に、断熱材を設ける必要が無くなり、床下空間２１の温度と略同等の温度まで前記床部２４上面の温度を下げることが出来る。
【００６２】
このため、更に、熱効率を良好なものとすることが出来る。
【００６３】
他の構成及び作用効果については、前記実施の形態１と同一乃至均等であるので説明を省略する。
【００６４】
以上、図面を参照して、本発明の実施の形態１，２及び変形例１を詳述してきたが、具体的な構成はこれらの実施の形態１，２及び変形例１に限らず、本発明の要旨を逸脱しない範囲の設計変更等があってもこの発明に含まれる。
【００６５】
例えば、前記実施の形態１又は２では、住宅１６の基礎２２の立ち上がり部２２ａの内，外両側面部２２ｂ，２２ｃに、断熱材２３，２３が設けられているが、特にこれに限らず、例えば、内，外両面部２２ｂ，２２ｃのうちいずれか一方であっても良く、また、内，外両側面部２２ｂ，２２ｃに、断熱材２３を設けなくても良い。
【００６６】
また、前記実施の形態２では、前記ダクト３３が貫通された基礎２２とは、建物反対側の基礎２２に、前記建物床下空間２１内に導入された冷気を、外部に導出するダクト部３４が、内外方向に貫通するように形成されているが、このダクト部３４に、ファン装置を設置してもよい。
【００６７】
この場合、このファン装置の駆動により、前記建物床下空間２１内に導入された冷気が、更に円滑に外部に排出されて、冷房性能を向上させることができる。
【００６８】
【発明の効果】
以上、上述してきた様に、請求項１に記載のものでは、ヒートポンプ装置によって暖められた温水が前記貯湯タンク内に蓄えられるので、必要に応じて、前記循環ポンプを駆動して、前記建物内床下空間に敷設された循環パイプ内に、前記貯湯タンクの湯水を循環させることができる。
【００６９】
このため、時間、天候等に左右されることなく、いつでも床下を調温出来るので、安定した暖房性能を発揮させることが出来、熱効率が良好である。
【００７０】
また、別途、他の調温設備を設ける必要も無く、給湯装置等と兼用すれば、設備コストの増大も抑制される。
【００７１】
更に、前記断熱材を設けた建物の基礎からは、外部に熱が逃げないと共に、前記循環パイプと床部上面との間に、断熱材を設ける必要が無くなり、殆どの熱が前記床部上面に導かれて床部上面から室内に発散される。
【００７２】
このため、更に、熱効率を良好なものとすることが出来る。
【００７６】
そして、前記ヒートポンプ装置に設けられたヒートポンプ室外機から排気された冷気が、前記ダクトによって、前記建物床下空間内に導入される。
【００７７】
このため、別途空調機器を設けなくても、前記建物床下空間を冷却出来、設備コストの増大が抑制されると共に、従来、大気に放出されていた冷気を利用して床下の冷房を行うことが出来るので、エネルギ利用効率も良好である。
【００７８】
更に、前記断熱材を設けた建物の基礎からは、外部の熱が伝わらないと共に、前記循環パイプと床部上面との間に、断熱材を設ける必要が無くなり、床下の温度と略同等の温度まで前記床部上面の温度を下げることが出来る。
【００７９】
このため、更に、熱効率を良好なものとすることが出来る、という実用上有益な効果を発揮する。
【図面の簡単な説明】
【図１】本発明の実施の形態１の床下調温装置で、全体の構成を説明する模式図である。
【図２】実施の形態１の床下調温装置で、床下の構成を説明する模式図である。
【図３】実施の形態１の変形例１の床下調温装置で、床下の構成を説明する模式図である。
【図４】実施の形態２の床下調温装置で、全体の構成を説明する模式図である。
【図５】従来の床下調温装置で、全体の構成を説明する建物の模式図である。
【符号の説明】
１５，３０              床下調温装置
１６，１１６            住宅（建物）
１７                    ヒートポンプ装置
１７ａ，３２            ヒートポンプ室外機
１８                    貯湯タンク
１９                    循環ポンプ
２０                    循環パイプ
２１                    床下空間
２３，２７              断熱材
２４                    床部
２４ａ                  上面
２５                    土間コンクリート
２６                    地表
【図１】
0003954870.tif 000002
【図２】
0003954870.tif 000003
【図３】
0003954870.tif 000004
【図４】
0003954870.tif 000005
【図５】
0003954870.tif 000006